(57)【要約】【課題】タッチ操作が無効な領域から有効な領域への設定変更が容易に行なわれる携帯端末を提供する。【解決手段】携帯端末１００のディスプレイは、タッチ操作が有効な領域として設定された領域４１０と、タッチ操作が無効な領域として設定された領域４２０とを含む。領域４１０と領域４２０との間は、境界線４３０によって区分される。領域４１０に対してユーザのタッチ操作が行なわれて境界線４３０に到達すると、領域４２０は、タッチ操作が有効な領域に設定される。【選択図】図4
2014035576.tif 000002
【特許請求の範囲】
【請求項１】
携帯端末であって、
モニタと、
前記モニタの表示領域に対するタッチ操作を検出するためのタッチパネルと、
メモリと、
前記メモリに保持されるデータに基づいて前記携帯端末の動作を制御するためのプロセッサとを備え、
前記プロセッサは、
前記タッチ操作が有効な第１領域と無効な第２領域とを設定し、
前記第１領域から前記第２領域に向かうドラッグ操作を検出し、
前記第１領域と前記第２領域との境界においてドラッグ操作を検出したことに基づいて、前記第２領域を、タッチ操作が有効な領域に切り換えるように構成されている、携帯端末。
【請求項２】
前記プロセッサは、
前記タッチ操作が有効な領域に切り換えられた領域においてタッチ操作を検出すると、前記第１領域におけるドラッグ操作の軌跡と、前記タッチ操作が検出された点とに基づいて、前記境界と前記点とを結ぶ軌跡を補間するように構成されている、請求項１に記載の携帯端末。
【請求項３】
前記タッチパネルは複数のサブ領域を含み、タッチ操作の有効および無効は、各前記サブ領域単位で設定可能であり、
前記プロセッサは、前記第２領域の一部のサブ領域をタッチ操作が有効な領域に切り換えるように構成されている、請求項１または２に記載の携帯端末。
【請求項４】
前記タッチ操作が有効な領域に対するタッチ操作が予め設定された時間に行なわれない場合には、前記プロセッサは、前記タッチ操作が有効な領域を、タッチ操作が無効な領域に切り換えるように構成されている、請求項３に記載の携帯端末。
【請求項５】
前記プロセッサは、
前記タッチ操作が有効な領域に含まれる一つ以上の前記サブ領域のうち、隣接するサブ領域を、前記タッチ操作が無効な領域に切り換えるように構成されている、請求項４に記載の携帯端末。
【請求項６】
携帯端末を制御するための方法であって、
前記携帯端末は、モニタと、前記モニタの表示領域に対するタッチ操作を検出するためのタッチパネルと、メモリと、前記メモリに保持されるデータに基づいて前記携帯端末の動作を制御するためのプロセッサとを備えており、
前記方法は、
前記プロセッサが、前記タッチ操作が有効な第１領域と無効な第２領域とを設定するステップと、
前記プロセッサが、前記第１領域から前記第２領域に向かうドラッグ操作を検出するステップと、
前記プロセッサが、前記第１領域と前記第２領域との境界においてドラッグ操作を検出したことに基づいて、前記第２領域を、タッチ操作が有効な領域に切り換えるステップとを含む、方法。
【請求項７】
携帯端末を制御するためのプログラムであって、前記携帯端末は、モニタと、前記モニタの表示領域に対するタッチ操作を検出するためのタッチパネルと、メモリと、前記メモリに保持されるデータに基づいて前記携帯端末の動作を制御するためのプロセッサとを備えており、
前記プログラムは、前記プロセッサに、
前記タッチ操作が有効な第１領域と無効な第２領域とを設定するステップと、
前記第１領域から前記第２領域に向かうドラッグ操作を検出するステップと、
前記第１領域と前記第２領域との境界においてドラッグ操作を検出したことに基づいて、前記第２領域を、タッチ操作が有効な領域に切り換えるステップとを実行させる、プログラム。
【発明の詳細な説明】
【技術分野】
【０００１】
本発明は、タッチパネルを有する端末の制御に関し、より特定的には、タッチ操作が有効な領域と無効な領域との切り換えのための制御に関する。
【背景技術】
【０００２】
ユーザインターフェイスとして、タッチパネル（またはタッチスクリーンともいう。）を有する端末が普及している。当該端末では、ディスプレイの領域全体にタッチパネルシートが配置され、当該領域に対するタッチ操作に基づいて端末の動作が制御される。
【０００３】
タッチパネルに関し、たとえば、特開２０１１−０２８６０３号公報（特許文献１）は、「タッチスクリーンを備えた端末装置をその持ち方によらず、安定して持つことができようにする」ための技術を開示している。当該技術によると、「加速度センサ１０からの検出結果（携帯電話機のＸ軸、Ｙ軸の軸周りに回転する方向の加速度）に基づいて制御部１は、携帯電話機を片手で持たれているのか、両手で持たれているのかを判別し、片手で持たれている場合にはタッチスクリーンＴＳ上の一部分にタッチ操作を無効とするタッチ無効化領域を確保する。これによって親指などをタッチ無効化領域に休ませる（指を置く）ことができる」というものである（［要約］参照）。
【０００４】
特開２０１０−２３８１４８号公報（特許文献２）は、「２つのタッチパネル間で表示物を移動させる際にもユーザへの操作負担を抑えることが可能性な携帯端末装置」を開示している。当該携帯端末装置は、「第１及び第２のタッチパネルを備え、表示物の表示制御用アプリケーションを実行し、各タッチパネル上での押圧開始、押圧位置の移動、押圧解除夫々に対応するメッセージを表示制御用アプリケーションに対して伝達するものであり、第１タッチパネル上の押圧位置の変化が所定条件を満たす場合に、第２タッチパネル上の位置を特定し、第１タッチパネル上での押圧解除後に第２タッチパネル上の前記特定された位置への押圧が開始された場合には、第１タッチパネル上での押圧解除に対応するメッセージの伝達を抑止し、当該特定された位置を示すメッセージを伝達すると共に、第２タッチパネル上での押圧開始に対応するメッセージの伝達を抑止する。」というものである（［要約］参照）。
【０００５】
特開２０１１−０９５８９０号公報（特許文献３）は、「２つのタッチパネル間で表示部を移動させる際にもユーザへの操作負担を抑えることが可能な携帯端末装置」を開示している。当該携帯端末装置は、「第１の静電容量式タッチパネル上の表示物の位置で押圧が開始され、その後押圧が解除された場合に、押圧の解除の前から押圧の解除までに検知された押圧の位置に基づいて、所定時間経過後の位置を算出し、算出された位置における静電容量を所定周期毎に検出し、所定周期毎に検出される静電容量が所定の条件を満たしている場合に、前記第２の静電容量式タッチパネルにて押圧が開始されたときは、第１の静電容量式タッチパネル上の表示物を前記第２の静電容量式タッチパネル上に表示する」というものである（［要約］参照）。
【先行技術文献】
【特許文献】
【０００６】
【特許文献１】特開２０１１−０２８６０３号公報
【特許文献２】特開２０１０−２３８１４８号公報
【特許文献３】特開２０１１−０９５８９０号公報
【発明の概要】
【発明が解決しようとする課題】
【０００７】
タッチパネル形式の携帯電話は片手で携帯電話を持ってその片手の親指で操作するか、片手で保持しもう片手で操作するかのいづれかである。前者の操作方法の場合、画面の大画面化に伴い親指で届かない範囲が広がっているにも関わらず全画面タッチ可能領域となっており、消費電力は増大する傾向にある。そのため、電力の消費を抑制することが求められている。その際、たとえば、ディスプレイの一部をタッチ操作が有効な領域に設定し、他の一部をタッチ操作が無効な領域に設定することも考えられる。このようにタッチ操作が有効な領域が選択的に設定されている場合、ディスプレイに表示される内容によっては、タッチ操作が無効な領域までタッチ操作が行なわれる場合がある。その場合、タッチ操作が無効な領域におけるタッチ操作が有効なものとして扱われる必要性が生じる場合がある。
【０００８】
本発明は、上述のような問題点を解決するためになされたものである。そのある局面における目的は、タッチ操作の有効な領域または無効な領域を選択的に設定可能な携帯端末においてタッチ操作が無効な領域を有効な領域に設定する携帯端末を提供することである。
【０００９】
他の局面における目的は、タッチ操作の有効な領域または無効な領域を選択的に設定可能な携帯端末においてタッチ操作が無効な領域を有効な領域に設定されるように携帯端末を制御するための方法を提供することである。
【００１０】
さらに他の局面における目的は、タッチ操作の有効な領域または無効な領域を選択的に設定可能な携帯端末においてタッチ操作が無効な領域を有効な領域に設定されるように携帯端末を制御するためのプログラムを提供することである。
【課題を解決するための手段】
【００１１】
一実施の形態に従う携帯端末は、表示領域に画面を表示するためのモニタと、表示領域に対するタッチ操作を検出するためのタッチパネルと、メモリと、メモリに保持されるデータに基づいて携帯端末の動作を制御するためのプロセッサとを備える。プロセッサは、タッチ操作が有効な第１領域と無効な第２領域とを設定し、第１領域から第２領域に向かうドラッグ操作を検出し、第１領域と第２領域との境界においてドラッグ操作を検出したことに基づいて、第２領域を、タッチ操作が有効な領域に切り換えるように構成されている。
【００１２】
好ましくは、プロセッサは、タッチ操作が有効な領域に切り換えられた領域においてタッチ操作を検出すると、第１領域におけるドラッグ操作の軌跡と、タッチ操作が検出された点とに基づいて、境界と点とを結ぶ軌跡を補間するように構成されている。
【００１３】
好ましくは、タッチパネルは複数のサブ領域を含む。タッチ操作の有効および無効は、各サブ領域単位で設定可能である。プロセッサは、第２領域の一部のサブ領域をタッチ操作が有効な領域に切り換えるように構成されている。
【００１４】
好ましくは、タッチ操作が有効な領域に対するタッチ操作が予め設定された時間に行なわれない場合には、プロセッサは、タッチ操作が有効な領域を、タッチ操作が無効な領域に切り換えるように構成されている。
【００１５】
好ましくは、プロセッサは、タッチ操作が有効な領域に含まれる一つ以上のサブ領域のうち、隣接するサブ領域を、タッチ操作が無効な領域に切り換えるように構成されている。
【００１６】
他の実施の形態に従うと、携帯端末を制御するための方法が提供される。携帯端末は、表示領域に画面を表示するためのモニタと、表示領域に対するタッチ操作を検出するためのタッチパネルと、メモリと、メモリに保持されるデータに基づいて携帯端末の動作を制御するためのプロセッサとを備えている。この方法は、プロセッサが、タッチ操作が有効な第１領域と無効な第２領域とを設定するステップと、プロセッサが、第１領域から第２領域に向かうドラッグ操作を検出するステップと、プロセッサが、第１領域と第２領域との境界においてドラッグ操作を検出したことに基づいて、第２領域を、タッチ操作が有効な領域に切り換えるステップとを含む。
【００１７】
さらに他の実施の形態に従うと、携帯端末を制御するためのプログラムが提供される。携帯端末は、表示領域に画面を表示するためのモニタと、表示領域に対するタッチ操作を検出するためのタッチパネルと、メモリと、メモリに保持されるデータに基づいて携帯端末の動作を制御するためのプロセッサとを備えている。プログラムは、プロセッサに、タッチ操作が有効な第１領域と無効な第２領域とを設定するステップと、第１領域から第２領域に向かうドラッグ操作を検出するステップと、第１領域と第２領域との境界においてドラッグ操作を検出したことに基づいて、第２領域を、タッチ操作が有効な領域に切り換えるステップとを実行させる。
【００１８】
ある局面において、タッチ操作の有効な領域または無効な領域を選択的に設定可能な携帯端末において、タッチ操作が無効な領域を有効な領域に設定することができる。
【００１９】
この発明の上記および他の目的、特徴、局面および利点は、添付の図面と関連して理解されるこの発明に関する次の詳細な説明から明らかとなるであろう。
【図面の簡単な説明】
【００２０】
【図１】携帯端末１００の外観を表わす図である。
【図２】携帯端末１００のハードウェア構成を表わすブロック図である。
【図３】携帯端末１００によって実現される機能の構成を表わすブロック図である。
【図４】携帯端末１００における領域の属性の状態が変わる様子を表わす図である。
【図５】タッチ操作が有効な領域４１０とタッチ操作が無効な領域４２０とが設定されている携帯端末１００において境界線４３０を跨ぐような線を描画する場合の画面の変化を表わす図である。
【図６】ディスプレイ３５においてタッチ操作が有効な領域が追加される状態を表わす図である。
【図７】ディスプレイ３５において規定される３つの領域を表わす図である。
【図８】ＣＰＵ２０が実行する一連の種類の一部を表わすフローチャートである。
【図９】ＣＰＵ２０が実行する一連の種類の一部を表わすフローチャートである。
【図１０】各領域の位置関係を表わす図である。
【発明を実施するための形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
［技術思想］
図１を参照して、本実施の形態に係る技術思想について説明する。図１は、携帯端末１００の外観を表わす図である。携帯端末１００は、たとえば、携帯電話機、スマートフォン、タブレット端末またはその他の携帯可能な端末装置であって、タッチパネルを有する端末によって実現される。
【００２３】
携帯端末１００は、ある局面において、領域１１０と、領域１２０とを備える。領域１１０は、ディスプレイ３５に対するタッチ操作が有効な領域である。領域１２０は、タッチ操作が無効な領域である。タッチ操作が有効な領域または無効な領域は、たとえば、各領域に対応して配置されるタッチセンサに対して電力が供給されるか否かに応じて設定される。この設定の内容は、たとえば、タッチ操作が有効な範囲を表わす座標値または領域の番地もしくは無効な範囲を表わす座標値または領域の番地として保存される。
【００２４】
あるいは、複数のタッチパネルシートがディスプレイ３５に配置されており、タッチパネルシート単位で電力の供給が切り換えられることにより、タッチ操作が有効な領域と無効な領域とがタッチパネルシート単位で規定されてもよい。
【００２５】
本実施の形態に係る携帯端末１００は、タッチ操作が可能なディスプレイ３５上の任意の場所をタッチ操作が有効な領域と無効な領域との間で切り換え可能である。携帯端末１００は、さらに、タッチ操作が有効な領域１１０からタッチ操作が無効な領域１２０へのドラッグ操作によるまたぎを検知する構成を備える。
【００２６】
携帯端末１００は、領域１１０と領域１２０との境界線１１１にドラッグイベント（ドラッグ操作を行なう指、スタイラスペンその他の指示手段）が到達した場合、領域１２０をタッチ操作が有効な領域に切り換える。
【００２７】
別の局面において、タッチ操作が有効な領域として領域１２０の設定が変更された場合に領域１２０に対してタッチダウン（押し下げ）操作が行なわれた時、携帯端末１００は、タッチ操作が有効な領域１１０におけるドラッグ操作の軌跡を元に、境界線１１１から先の（領域１２０における）軌跡を補間する。
【００２８】
［ハードウェア構成］
図２を参照して、本実施の形態に係る携帯端末１００の構成について説明する。図２は、携帯端末１００のハードウェア構成を表わすブロック図である。
【００２９】
携帯端末１００は、ＣＰＵ２０と、アンテナ２３と、通信装置２４と、カメラ２６と、フラッシュメモリ２７と、ＲＡＭ（Random  Access  Memory）２８と、ＲＯＭ２９と、メモリカード駆動装置３０と、マイク３２と、スピーカ３３と、音声信号処理回路３４と、ディスプレイ３５と、ＬＥＤ（Light  Emitting  Diode）３６と、データ通信Ｉ／Ｆ３７と、バイブレータ３８と、加速度センサ３９とを備える。メモリカード駆動装置３０には、メモリカード３１が装着され得る。
【００３０】
アンテナ２３は、基地局によって発信される信号を受信し、または、基地局を介して他の通信装置と通信するための信号を送信する。アンテナ２３によって受信された信号は、通信装置２４によってフロントエンド処理が行なわれた後、処理後の信号は、ＣＰＵ２０に送られる。
【００３１】
ユーザインターフェイス２５は、携帯端末１００に対するタッチ操作を受け付けて、当該タッチ操作が検出された点の座標値をＣＰＵ２０に送出する。ＣＰＵ２０は、その座標値と携帯端末１００の動作モードとに応じて予め規定されている処理を実行する。
【００３２】
ＣＰＵ２０は、携帯端末１００に対して与えられる命令に基づいて携帯端末１００の動作を制御するための処理を実行する。携帯端末１００が信号を受信すると、ＣＰＵ２０は、通信装置２４から送られた信号に基づいて予め規定された処理を実行し、処理後の信号を音声信号処理回路３４に送出する。音声信号処理回路３４は、その信号に対して予め規定された信号処理を実行し、処理後の信号をスピーカ３３に送出する。スピーカ３３は、その信号に基づいて音声を出力する。
【００３３】
マイク３２は、携帯端末１００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置２４に対して送出する。通信装置２４は、そのデータを用いて送信用の信号を生成し、アンテナ２３に向けてその信号を送出する。
【００３４】
フラッシュメモリ２７は、ＣＰＵ２０から送られるデータを格納する。また、ＣＰＵ２０は、フラッシュメモリ２７に格納されているデータを読み出し、そのデータを用いて予め規定された処理を実行する。
【００３５】
ＲＡＭ２８は、ユーザインターフェイス２５に対して行なわれた操作に基づいてＣＰＵ２０によって生成されるデータを一時的に保持する。ＲＯＭ２９は、携帯端末１００に予め定められた動作を実行させるためのプログラムあるいはデータを格納している。ＣＰＵ２０は、ＲＯＭ２９から当該プログラムまたはデータを読み出し、携帯端末１００の動作を制御する。
【００３６】
メモリカード駆動装置３０は、メモリカード３１に格納されているデータを読み出し、ＣＰＵ２０に送出する。メモリカード駆動装置３０は、ＣＰＵ２０によって出力されるデータを、メモリカード３１の空き領域に書き込む。
【００３７】
音声信号処理回路３４は、上述のような通話のための信号処理を実行する。なお、図２に示される例では、ＣＰＵ２０と音声信号処理回路３４とが別個の構成として示されているが、他の局面において、ＣＰＵ２０と音声信号処理回路３４とが一体として構成されていてもよい。
【００３８】
ディスプレイ３５は、タッチパネル式のディスプレイであるが、タッチパネルの機構は特に限られない。ディスプレイ３５は、ＣＰＵ２０から取得されるデータに基づいて、当該データによって規定される画像を表示する。たとえば、フラッシュメモリ２７が格納している静止画、動画、音楽ファイルの属性（当該ファイルの名前、演奏者、演奏時間など）を表示する。
【００３９】
ＬＥＤ３６は、ＣＰＵ２０からの信号に基づいて、予め定められた発光動作を実現する。データ通信Ｉ／Ｆ３７は、データ通信用のケーブルの装着を受け付ける。
【００４０】
データ通信Ｉ／Ｆ３７は、ＣＰＵ２０から出力される信号を当該ケーブルに対して送出する。あるいは、データ通信Ｉ／Ｆ３７は、当該ケーブルを介して受信されるデータを、ＣＰＵ２０に対して送出する。
【００４１】
バイブレータ３８は、ＣＰＵ２０から出力される信号に基づいて、予め定められた周波
数で発振動作を実行する。
【００４２】
加速度センサ３９は、携帯端末１００に作用する加速度の方向を検出し、検出結果をＣＰＵ２０に送信する。
【００４３】
［機能ブロック］
図３を参照して、本実施の形態に係る携帯端末１００の構成についてさらに説明する。図３は、携帯端末１００によって実現される機能の構成を表わすブロック図である。携帯端末１００は、タッチ位置検出部３１０と、記憶部３３０と、有効領域設定部３４０と、電源制御部３５０とを備える。
【００４４】
タッチ位置検出部３１０は、携帯端末１００に対する操作に基づいて、タッチ操作が行なわれた位置を検出する。
【００４５】
記憶部３３０は、ディスプレイ３５においてタッチ操作が有効な領域を表わすデータとタッチ操作が無効な領域を表わすデータとを格納する。
【００４６】
有効領域設定部３４０は、領域特定部３２０からの出力と、記憶部３３０に格納されているデータとに基づいて、ディスプレイ３５においてタッチ操作が有効な領域を新たに設定する。有効領域設定部３４０は、その設定の結果を記憶部３３０に格納する。
【００４７】
電源制御部３５０は、有効領域設定部３４０からの出力に基づいて、ディスプレイ３５のタッチパネルにおける電源を制御する。具体的には、電源制御部３５０は、タッチセンサを駆動するための電力の供給を予め設定された領域毎に切り換える。これにより、タッチ操作が有効な領域と無効な領域とが規定される。
【００４８】
図４を参照して、タッチ操作が無効な領域を有効な領域に切り換えるための操作について説明する。図４は、携帯端末１００における領域の属性の状態が変わる様子を表わす図である。
【００４９】
状態（Ａ）に示されるように、ある局面において、携帯端末１００は、領域４１０と、領域４２０とを含む。領域４１０と領域４２０との間は、たとえば境界線４３０によって区切られている。
【００５０】
具体的には、携帯端末１００は、ディスプレイ３５におけるタッチパネル上の任意の場所をタッチ操作の有効な領域と無効な領域との間で切り換えることができる。さらに、携帯端末１００は、タッチパネルからの出力と、フラッシュメモリ２７に保持されたデータとに基づいて、タッチ操作が有効な領域からタッチ操作が無効な領域へのドラッグ操作による「またぎ」であると推測することができる。ドラッグ操作が境界線４３０に到達した場合、ＣＰＵ２０は、タッチ操作が無効とされた領域を有効な領域に設定を変更することができる。
【００５１】
ある局面において、たとえば、領域４１０は、タッチ操作が有効な領域として設定されている。このとき、領域４１０に相当するタッチセンサの電源はオンにされており、領域４１０に対するタッチ操作を検出し、その検出結果（すなわち、タッチ操作が行なわれた点の座標値）をＣＰＵ２０に送信する。あるいは、タッチ操作が行われた領域を特定するための情報（たとえば、領域番号）がＣＰＵ２０に送られてもよい。
【００５２】
領域４２０は、タッチ操作が無効な領域として設定されている。したがって、携帯端末１００のユーザが領域４２０に対してタッチ操作を行なっても、タッチ操作が行なわれた点の座標値は特定されず、タッチ操作の結果もＣＰＵ２０に送られない。
【００５３】
状態（Ａ）において、携帯端末１００のユーザが右手の親指で領域４１０から領域４２０に向かうドラッグ操作を行なうと、途中で、ユーザの親指は境界線４３０に到達する。このとき、ＣＰＵ２０は、領域４２０に対応するタッチセンサの電源をオンに切り換えてタッチ操作が有効な領域に設定を変更する。
【００５４】
具体的には、状態（Ｂ）に示されるように、領域４２０は、タッチ操作が有効な領域としてタッチセンサの電源がオンになっている。したがって、領域４１０と同様に、携帯端末１００のユーザによる領域４２０へのタッチ操作も受け付けられる。
【００５５】
なお、さらに別の局面において、領域４１０の表示の態様と、領域４２０の表示の態様とは異なってもよい。これにより、携帯端末１００のユーザは、タッチ操作が有効な領域と無効な領域とを視覚で把握することができる。
【００５６】
［線の描画］
図５を参照して、携帯端末１００に対する線の描画について説明する。図５は、タッチ操作が有効な領域４１０とタッチ操作が無効な領域４２０とが設定されている携帯端末１００において境界線４３０を跨ぐような線を描画する場合の画面の変化を表わす図である。
【００５７】
他の局面において、携帯端末１００のディスプレイ３５のうちのタッチ操作が有効であると設定された領域４２０にタッチダウン（押し下げ）操作が行なわれると、ＣＰＵ２０は、有効な領域４１０内の軌跡に基づいて、境界線４３０から先の領域４２０における軌跡を補間することができる。
【００５８】
状態（Ａ）に示されるように、ある局面において、携帯端末１００のユーザは、タッチダウン操作を行なって、右手の親指で点５１０にタッチする。その後、ユーザは、親指の先端をディスプレイ３５に当てた状態でドラッグ操作を行ない、境界線４３０の上に存在する点５２０までドラッグ操作を続ける。
【００５９】
状態（Ｂ）に示されるように、ユーザは、ドラッグ操作を境界線４３０を越えて領域４２０に存在する点５３０まで行なう。このとき、領域４２０は、タッチ操作が無効な領域として設定されているため、ユーザがドラッグ操作を行なった時点では、領域４２０におけるタッチ操作に相当する座標値が検出されない。具体的には、点５２０と点５３０とを結ぶ線５３１に相当する部分の座標値は、タッチセンサによっては検出されない。
【００６０】
領域４２０に電源が入り、タッチ操作が検出されるようになって初めて検出された点が点５３０であるとすると、状態（Ｃ）に示されるように、携帯端末１００のＣＰＵ２０は、点５２０と点５３０との間を補間する。たとえば、ＣＰＵ２０は、点５１０から点５２０までの軌跡に基づいて、線５３１を推測する。当該軌跡がほぼ直線である場合には、ＣＰＵ２０は、線５３１を当該軌跡を延長した直線として推測する。点５１０と点５２０とを結ぶ線が曲線である場合には、ＣＰＵ２０は、当該曲線を含む円弧を推定し当該円弧に沿う曲線として、線５３１を推定する。
【００６１】
［タッチ操作が有効な領域の限定的な設定］
図６を参照して、タッチ操作が有効な領域を限定的に設定する場合について説明する。図６は、ディスプレイ３５においてタッチ操作が有効な領域が追加される状態を表わす図である。タッチ操作が有効な領域と無効な領域との切り換えは、一度に行なわれなくてもよく、切り換えは、予め設定されたサブ領域単位で行なわれてもよい。
【００６２】
たとえば、状態（Ａ）に示されるように、ある局面において、ディスプレイ３５において、タッチ操作が有効な領域６１０とタッチ操作が無効な領域６２０とが設定されている。領域６１０に対応するタッチセンサに対しては、電源がオンに設定されており、領域６２０に対応するタッチセンサの電源はオフに設定されている。このような場合において、携帯端末１００のユーザによるドラッグ操作６１１が行なわれる。
【００６３】
状態（Ｂ）に示されるように、ドラッグ操作６１１が継続されることでドラッグ操作６１２として領域６２０に含まれると、領域６２０のうち一部の領域６３０は、タッチ操作が有効な領域に設定される。残りの領域６４０は、タッチ操作が無効な領域のままである。
【００６４】
ここで、タッチ操作が有効な領域６３０は、たとえば、ドラッグ操作６１１を含むサブ領域として設定される。このようにすると、ドラッグ操作６１１が行なわれた領域を必要最小限含む領域のみがタッチ操作が有効な領域に設定されることになり、タッチセンサの電力の供給もその領域６３０に限定される。したがって、電力の消費が抑制される。
【００６５】
さらに別の局面において、タッチ操作が有効であると設定された領域に対して予め定められた時間内にタッチ操作がない場合には、当該領域を再びタッチ操作が無効な領域に設定されてもよい。これにより、電力の消費を領域単位で抑制することができる。
【００６６】
［タッチ操作の無効な複数の領域がタッチ操作の有効な領域の候補となる場合］
図７を参照して、タッチ操作が無効とされている範囲において複数の領域がタッチ操作の有効な領域になり得る場合について説明する。図７は、ディスプレイ３５において規定される３つの領域を表わす図である。
【００６７】
ある局面において、領域７００，７１０，７２０が規定されている。領域７００，７１０，７２０は、タッチ操作の有効または無効が切り換えられる単位となる範囲である。たとえば、領域７００，７１０が無効領域として、領域７２０が有効領域として、それぞれ設定されているとする。このとき、ユーザがディスプレイ３５における領域７２０に対してタッチ操作を行なうと、領域７００，７１０のいずれもがタッチ操作の有効化の対象となり得る。この場合、タッチ操作が有効にされる領域としては、領域７００のみ、領域７１０のみ、領域７００および領域７１０の３つのパターンがあり得る。携帯端末１００の動作モードに応じて、タッチ操作が無効として規定されている領域を有効な領域に設定するパターンは、変更されてもよい。
【００６８】
たとえば、携帯端末１００の省電力モードの設定レベルの大小に応じてタッチ操作が有効な領域（タッチセンサに電力が供給される領域）の数（または面積）を多くしてもよい。この場合、たとえば、領域７００および領域７１０のいずれもが、タッチ操作を受け付けるように設定される。具体的には、領域７００および領域７１０の両方に電力が供給される。
【００６９】
一方、携帯端末１００の省電力モードの設定レベルが大の場合、必要最小限の領域が、タッチ操作を受け付ける領域に設定される。たとえば、領域７００または領域７１０のいずれかのみがタッチ操作の有効な領域として設定される。この場合、たとえば、領域７２０におけるタッチ操作の方向を示すベクトルが、領域７００および領域７１０のいずれに向かっているかに応じて、タッチ操作が有効な領域が設定されてもよい。
【００７０】
たとえば、当該ベクトルが領域７００に向かっている場合には、領域７００がタッチ操作の有効な領域として規定される。別の場合に、当該ベクトルが領域７１０に向かっている場合には、領域７１０がタッチ操作の有効な領域として規定される。当該ベクトルが領域７００および領域７１０にまたがっている場合には、領域７００および領域７１０の両方が、タッチ操作の有効な領域として規定されてもよい。
【００７１】
［制御構造］
図８を参照して、本実施の形態に係る携帯端末１００の制御構造について説明する。図８は、ＣＰＵ２０が実行する一連の種類の一部を表わすフローチャートである。
【００７２】
ステップＳ８１０にて、携帯端末１００のＣＰＵ２０は、タッチセンサからの出力に基づいて、ディスプレイ３５のタッチセンサ有効領域内でのタッチダウンが行なわれたことを検知する。タッチダウンとは、ディスプレイ３５のタッチ操作領域に対する指示手段（たとえば携帯端末１００の指、スタイラスペン等）によるタッチ動作をいう。制御は、ステップＳ８２０に移される。
【００７３】
ステップＳ８２０にて、ＣＰＵ２０は、タッチセンサからの出力に基づいて、ディスプレイ３５においてドラッグ操作が行なわれたことを検出する。制御は、ステップＳ８３０に移される。
【００７４】
ステップＳ８３０にて、ＣＰＵ２０は、タッチセンサからの出力に基づいて、ディスプレイ３５の表示領域におけるタッチアップ操作が行なわれたか否かを判断する。タッチアップ操作とは、ディスプレイ３５においてタッチ操作が維持されていた当該指示手段がディスプレイ３５から離れた状態をいう。ＣＰＵ２０は、タッチアップ操作が行なわれた判断すると（ステップＳ８３０にてＹＥＳ）、制御を終了する。そうでない場合には（ステップＳ８３０にてＮＯ）、ＣＰＵ２０は、制御をステップＳ８４０に切り換える。
【００７５】
ステップＳ８４０にて、ＣＰＵ２０は、ディスプレイ３５におけるドラッグ操作中の位置が無効領域と接する有効領域の端（たとえば境界線４３０）であるか否かを判断する。ＣＰＵ２０は、ドラッグ操作中の位置が当該端であると判断すると（ステップＳ８４０にてＹＥＳ）、制御をステップＳ８５０に切り換える。そうでない場合には（ステップＳ８４０にてＮＯ）、ＣＰＵ２０は、制御をステップＳ８２０に切り換える。
【００７６】
ステップＳ８５０にて、ＣＰＵ２０は、境界線４３０と接するタッチ操作が無効な領域４２０をタッチ操作が有効な領域に切り換える。ＣＰＵ２０は、タッチ操作が有効な領域を表わす情報をフラッシュメモリ２７に格納する。その後、処理は終了する。
【００７７】
図９および図１０を参照して、図６の場合における携帯端末１００の動作について説明する。図９は、図６の動作に関する制御構造を表わすフローチャートである。図１０は、各領域の位置関係を表わす図である。
【００７８】
図９を参照して、ステップＳ９１０にて、ＣＰＵ２０は、現在位置のＹ座標と１つ前の検出位置のＹ座標とを比較する。現在位置のＹ座標と１つ前の検出位置のＹ座標とが同一である場合には、ＣＰＵ２０は、制御をステップＳ９２０に切り換える。現在位置のＹ座標が１つ前の検出位置のＹ座標よりも小さい場合には、ＣＰＵ２０は、制御をステップＳ９３０に切り換える。現在位置のＹ座標が１つ前の検出位置のＹ座標よりも大きい場合には，ＣＰＵ２０は、制御をステップＳ９４０に切り換える。
【００７９】
ステップＳ９２０にて、ＣＰＵ２０は、前回比較した１つ前の位置のＹ座標とさらに１つ前の検出位置のＹ座標とを比較する。これらのＹ座標が同じ場合には、ＣＰＵ２０は、制御をステップＳ９２０に戻す。前回比較した１つ前の位置のＹ座標がさらに１つ前の検出位置のＹ座標よりも小さい場合には、ＣＰＵ２０は、制御をステップＳ９３０に切り換える。前回比較した１つ前の位置のＹ座標がさらに１つ前の検出位置のＹ座標よりも大きい場合には、ＣＰＵ２０は、制御をステップＳ９４０に切り換える。
【００８０】
ステップＳ９３０にて、ＣＰＵ２０は、現在位置のＹ座標以下のタッチ操作が無効な領域を有効な領域に変更する。
【００８１】
ステップＳ９４０にて、ＣＰＵ２０は、現在位置のＹ座標以上のタッチ操作が無効な領域をタッチ操作が有効な領域に設定を変更する。
【００８２】
図１０を参照して、図９の処理についてさらに説明する。領域７００が現在位置とし、領域７１０が一つ前の位置、領域７２０をさらに一つ前の位置とする。領域７００の位置は、座標値（ｘ，ｙ）である。領域７１０の位置は、座標値（ｘ＋１、ｙ）である。領域７２０の位置は、座標値（ｘ＋１，ｙ−１）である。
【００８３】
ステップＳ９１０において、領域７００と領域７１０とが比較されると、領域７００のＹ座標値と領域７１０のＹ座標値とは同一であるため、処理は、ステップＳ９１０からステップＳ９２０に移される。
【００８４】
ステップＳ９２０において、領域７１０の座標値と領域７２０の座標値とが比較される。領域７１０のＹ座標値（＝ｙ）は、領域７２０のＹ座標値（＝ｙ−１）よりも大きいため、処理は、ステップＳ９２０からステップＳ９４０に移される。
【００８５】
ステップＳ９４０において、現在のタッチ位置である領域７００のＹ座標値以上の値を含む領域がタッチ操作の有効な領域として設定される。
【００８６】
なお、他の局面において、タッチ操作が無効な領域から有効な領域への切り換えは、さらに他の態様によって行なわれてもよい。
【００８７】
たとえば、携帯端末１００は、筺体の側面（右側および左側）にタッチセンサを有しいてもよい。携帯端末１００は、このタッチセンサからの出力を受け取り、筺体の側面において検出された領域の数および当該領域の面積に基づいて、当該筺体の右側および左側に何本の指が接触しているかを判断する。そして、携帯端末１００は、筐体が４本以下の指で把持されていると判断すると、当該筺体がユーザの片手で把持されていると判断する。この場合、タッチ操作が有効な領域と無効な領域とは、当初の設定のままである。その後、携帯端末１００は、筐体が５本の指で把持されていることを検知すると、ユーザは携帯端末１００を一方の手（たとえば左手）で把持し、他方の手（右手）で操作すると判断する。この場合、携帯端末１００は、ディスプレイ３５の領域全体がタッチ操作の対象となると判断し、全ての領域をタッチ操作が有効な領域に設定することができる。
【００８８】
さらに他の局面において、携帯端末１００は、筐体にハードキーを有していてもよい。ＣＰＵ２０は、このハードキーの押下を検知すると、タッチ操作が無効であると設定されていた領域を有効な領域に変更することができる。あるいは、ディスプレイ３５の領域全体がタッチ操作の有効な領域として設定されていた場合に当該ハードキーが押下されると、ＣＰＵ２０は、予め定められた設定パターンに従って、一部の領域をタッチ操作が無効な領域として設定してもよい。これにより、ユーザの意図に従って、タッチ操作が有効な領域と無効な領域とを切り換えることができる。
【００８９】
＜実施の形態のまとめ＞
以上のようにして、本実施の形態に係る携帯端末１００によると、タッチ操作が有効な領域と無効な領域とに選択的に設定可能な場合において、タッチ操作が無効であると設定されている領域を容易に有効な領域に設定できるため、ユーザ操作の利便性の低下が防止される。たとえば、ユーザの操作の意図に沿ってタッチ操作が有効な領域に設定される。
【００９０】
また、タッチ操作が行なわれない領域を設けることにより、携帯端末１００の電力の消費が抑制される。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９２】
２０  ＣＰＵ、２３  アンテナ、２４  通信装置、２５  ユーザインターフェイス、２６  カメラ、２７  フラッシュメモリ、２８  ＲＡＭ、２９  ＲＯＭ、３０  メモリカード駆動装置、３１  メモリカード、３２  マイク、３３  スピーカ、３４  音声信号処理回路、３５  ディスプレイ、３７  データ通信インターフェイス、３８  バイブレータ、３９  加速度センサ、１００  携帯端末、３１０  タッチ位置検出部、３２０  領域特定部、３３０  記憶部、３４０  有効領域設定部、３５０  電源制御部、４３０  境界線、５１０，５２０，５３０  点、５３１  線。
【図１】
2014035576.tif 000003
【図２】
2014035576.tif 000004
【図３】
2014035576.tif 000005
【図４】
2014035576.tif 000006
【図５】
2014035576.tif 000007
【図６】
2014035576.tif 000008
【図７】
2014035576.tif 000009
【図８】
2014035576.tif 000010
【図９】
2014035576.tif 000011
【図１０】
2014035576.tif 000012